(57)【特許請求の範囲】
【請求項１】
車両のバンパ内でバンパレインフォースメントの前面に配設されチャンバ空間を内部に形成してなるチャンバ本体を有するチャンバ部材と、前記チャンバ空間内の圧力を検出する圧力センサとを備え、前記圧力センサによる圧力検出結果に基づいて前記バンパへの衝突を検知するように構成された車両用衝突検知装置であって、
前記チャンバ空間内の圧力を変動させる圧力発生手段と、
前記圧力発生手段により前記チャンバ空間内の圧力変動が実行されない通常モードと前記圧力発生手段により前記チャンバ空間内の圧力変動が実行される診断モードとの切替えを行う切替え手段と、
前記切替え手段によって前記診断モードに切り替えた状態で前記圧力センサにより前記チャンバ空間内の圧力を検出し、その圧力検出結果に基づいて前記チャンバ部材が破損しているか否かの故障判定を行う故障判定手段とを備え、
前記故障判定手段は、前記診断モードにおいて、前記チャンバ空間内の圧力を前記圧力センサにより検出すると共に、前記圧力発生手段によって発生された圧力を該圧力発生手段に設けられた他の圧力センサにより検出し、前記圧力センサの検出結果と前記他の圧力センサの検出結果とに基づいて前記故障判定を行うことを特徴とする車両用衝突検知装置。
【請求項２】
前記故障判定手段は、前記切替え手段によって前記通常モードから前記診断モードへ切り替えられた時から所定時間経過後に、前記故障判定を行うことを特徴とする請求項１に記載の車両用衝突検知装置。
【請求項３】
前記圧力発生手段は、前記チャンバ空間内の圧力を減少させることにより負圧を発生させることを特徴とする請求項１又は２に記載の車両用衝突検知装置。
【請求項４】
前記圧力発生手段は、前記チャンバ空間内の圧力を増加させることにより正圧を発生させることを特徴とする請求項１又は２に記載の車両用衝突検知装置。
【請求項５】
前記圧力発生手段と前記チャンバ空間との間に、前記切替え手段によって開閉する開閉弁が配設されたことを特徴とする請求項１乃至４のいずれか一項に記載の車両用衝突検知装置。
【請求項６】
前記圧力発生手段と前記チャンバ部材の前記チャンバ空間とは導通管によって連結されていることを特徴とする請求項１乃至５のいずれか一項に記載の車両用衝突検知装置。
【請求項７】
前記圧力発生手段は、前記車両内に配置された既存の圧力発生源であることを特徴とする請求項１乃至６のいずれか一項に記載の車両用衝突検知装置。
【請求項８】
前記圧力発生手段は、エアサスコンプレッサ、インテークマニホールド又はブレーキブースターのいずれかであることを特徴とする請求項７に記載の車両用衝突検知装置。
【発明の詳細な説明】
【技術分野】
【０００１】
本発明は、車両への歩行者等の衝突を検知する車両用衝突検知装置に関する。
【背景技術】
【０００２】
従来、車両が物体に衝突したことを検知する装置として、車両のバンパ内にチャンバ空間が形成されたチャンバ部材を配設し、チャンバ空間内の圧力の変化を検出することにより、歩行者等が車両に衝突したか否かを判定する車両用衝突検知装置が提案されている。ここで、チャンバ部材に穴が開いたなどの破損が生じた場合、歩行者などが車両に衝突したとしても、チャンバ空間内の圧力が充分に変化しないため、チャンバ部材のチャンバ空間内の圧力を正常に検出することができない。そのため、車両に歩行者等が衝突したか否かを判定できない虞があるので、チャンバ部材に破損が生じていないか異常状態と検知できることが必要となる。
【０００３】
例えば、特許文献１は、おもり部材をチャンバ部材に取り付け、車両の上下方向の振動によってチャンバ空間を変形させることによりチャンバ内の圧力変化を検出し、チャンバ部材が破損したか否かを判定することを提案している。また、特許文献２は、チャンバ空間内部の温度を検出し、チャンバ空間内の温度と圧力センサによって検出された圧力とに基づいて、チャンバ部材が破損したか否かを判定することを提案している。
【先行技術文献】
【特許文献】
【０００４】
【特許文献１】特開２００９−２３４０３号公報
【特許文献２】特開２００９−１８７３２号公報
【発明の概要】
【発明が解決しようとする課題】
【０００５】
しかしながら、特許文献１に記載の技術では、車両の上下方向の振動が十分でない場合、チャンバ空間を変形させることができずチャンバ内の圧力変化を検出できない虞があるという問題が考えられる。また、特許文献２に記載の技術では、チャンバ空間内の圧力とチャンバ空間内部の温度とによりチャンバ空間が密閉状態であるかを検出する方式であることに起因する欠点が考えられる。すなわち、温度変化は急激な変化ではなく且ついつ変化が起こるのか想定しにくいため、故障診断の判定が難しいという問題がある。また、温度変化は急激な変化ではないため、チャンバ部材を完全密閉状態に保つ必要があり、高地変化による外気圧変化でチャンバ部材がつぶれたり膨れたりすることがあり、そのため、硬い樹脂製のチャンバ部材としない限り検出精度が確保できないという問題も考えられる。
【０００６】
本発明は、上述した問題点に鑑みてなされたものであり、簡単な構成で確実にチャンバ部材の破損を検出可能な圧力チャンバ式の車両用衝突検知装置を提供することを目的とする。
【課題を解決するための手段】
【０００７】
上記課題を解決するためになされた請求項１に記載の発明は、車両のバンパ内でバンパレインフォースメントの前面に配設されチャンバ空間を内部に形成してなるチャンバ本体を有するチャンバ部材と、前記チャンバ空間内の圧力を検出する圧力センサとを備え、前記圧力センサによる圧力検出結果に基づいて前記バンパへの衝突を検知するように構成された車両用衝突検知装置であって、
前記チャンバ空間内の圧力を変動させる圧力発生手段と、
前記圧力発生手段により前記チャンバ空間内の圧力変動が実行されない通常モードと前記圧力発生手段により前記チャンバ空間内の圧力変動が実行される診断モードとの切替えを行う切替え手段と、
前記切替え手段によって前記診断モードに切り替えた状態で前記圧力センサにより前記チャンバ空間内の圧力を検出し、その圧力検出結果に基づいて前記チャンバ部材が破損しているか否かの故障判定を行う故障判定手段とを備え、
前記故障判定手段は、前記診断モードにおいて、前記チャンバ空間内の圧力を前記圧力センサにより検出すると共に、前記圧力発生手段によって発生された圧力を該圧力発生手段に設けられた他の圧力センサにより検出し、前記圧力センサの検出結果と前記他の圧力センサの検出結果とに基づいて前記故障判定を行うことを特徴とする。
【０００８】
この構成によれば、圧力発生手段によりチャンバ空間内の圧力変動が実行されない通常モードでは、圧力センサがチャンバ空間内の圧力を検出し、その圧力検出結果に基づいてバンパへの衝突を検知することができる。一方、切替え手段によって、通常モードから圧力発生手段によりチャンバ空間内の圧力変動が実行される診断モードに切り替えられると、故障判定手段は、この状態でチャンバ空間内の圧力を圧力センサにより検出し、その圧力検出結果に基づいてチャンバ部材が破損しているか否かの故障判定を行うことができる。
【０００９】
すなわち、チャンバ部材に破損が生じていない正常時は、圧力発生手段によってチャンバ空間内の圧力変動（正圧又は負圧）を実行した場合に圧力センサによって圧力を検出すると、予め想定される所定の圧力検出結果が得られる。これに対し、チャンバ部材に破損が生じている故障時は、圧力発生手段によってチャンバ空間内の圧力変動（正圧又は負圧）を実行した場合に圧力センサによって圧力を検出すると、当該破損箇所（例えば穴あき部分）から空気が流出（正圧の場合）又は流入（負圧の場合）するので、チャンバ空間内の圧力変化は正常時とは異なる態様を示し、圧力センサによる圧力検出結果は上記所定の圧力検出結果とは異なるものとなる。よって、診断モードにおけるチャンバ空間内の圧力検出結果に基づいて、チャンバ部材が破損しているか否かの故障判定を簡単な構成で確実に行うことができる。
【００１０】
なお、前記故障判定手段は、前記通常モードから前記診断モードへの切替えに伴う前記チャンバ空間内の圧力変動量を前記圧力センサにより検出し、その圧力変動量の検出結果に基づいて前記故障判定を行うことができる。
【００１１】
この構成によれば、故障判定手段は、切替え手段による通常モードから診断モードへの切り替え前後のチャンバ空間内の圧力変動量、すなわち、通常モードにおけるチャンバ空間内の圧力と診断モードにおけるチャンバ空間内の圧力との差を圧力センサにより検出する。ここで、チャンバ部材に破損が生じていない正常時は、圧力センサによって、予め実験等により想定される所定の圧力変動量が検出される。これに対し、チャンバ部材に破損が生じている故障時は、当該破損箇所から空気が流出（正圧の場合）又は流入（負圧の場合）するので、圧力センサにより検出される圧力変動量は、上記所定の圧力変動量よりも小さくなる。従って、一つの圧力センサを用いた簡単な構成で、通常モードから診断モードへの切替えに伴うチャンバ空間内の圧力変動量を圧力センサにより検出することによって、チャンバ部材が破損しているか否かを確実に判定することができる。
【００１３】
本発明に係る構成によれば、故障判定手段は、診断モードにおいて、圧力発生手段によってチャンバ空間内の圧力変動（正圧又は負圧）を実行し、チャンバ空間内の圧力を圧力センサにより検出すると共に、圧力発生手段により発生された圧力を圧力発生手段に設けられた他のセンサを用いて検出する。そして、圧力発生手段に設けられた該他の圧力センサとチャンバ空間内の圧力を検出する圧力センサとの２つの圧力センサの検出結果に基づいて、故障判定を行う。
【００１４】
ここで、破損のない正常なチャンバ部材は、障害物の衝突の際に発生する圧力変動を検出できる程度の密閉性を有しているため、圧力発生手段が所定の圧力を発生させた場合、チャンバ空間内は予め実験等により想定される他の所定の圧力に変動する。すなわち、圧力発生手段によって発生された圧力の他の圧力センサによる検出結果と、チャンバ空間内の圧力の圧力センサによる検出結果とは、予め想定される一定の関係を示す。これに対し、チャンバ部材に破損が生じている故障時は、当該破損箇所から空気が流出（正圧の場合）又は流入（負圧の場合）するので、チャンバ空間内の圧力の圧力センサによる検出結果は、圧力発生手段によって発生された圧力の他の圧力センサによる検出結果に対して一定の関係を示さなくなる。従って、チャンバ空間内の圧力を検出する圧力センサと圧力発生手段に設けられた他の圧力センサとの２つの圧力センサを用いた簡単な構成で、チャンバ空間における圧力の検出結果と圧力発生手段によって発生される圧力の検出結果とに基づいて、チャンバ部材が破損しているか否かを確実に判定することができる。
【００１５】
請求項２に記載の発明において、前記故障判定手段は、前記切替え手段によって前記通常モードから前記診断モードへ切り替えられた時から所定時間経過後に、前記故障判定を行うことを特徴とする。
【００１６】
この構成によれば、故障判定手段は、切替え手段によって通常モードから診断モードへ切り替えられた時から所定時間経過後に、チャンバ部材が破損しているか否かの故障判定を行う。すなわち、通常モードから診断モードへ切り替えられた時から所定時間が経過して充分にチャンバ空間内の圧力が変化した状態で、圧力センサによりチャンバ空間内の圧力を検出してチャンバ部材の故障判定を行うので、チャンバ部材が破損しているか否かを正確に判定することができる。
【００１７】
請求項３に記載の発明において、前記圧力発生手段は、前記チャンバ空間内の圧力を減少させることにより負圧を発生させることを特徴とする。
【００１８】
この構成によれば、圧力発生手段が、チャンバ空間内の圧力を減少させることにより負圧を発生させ、この状態でチャンバ空間内の圧力を検出することによりチャンバ部材が破損しているか否かの故障判定を行うことができる。
【００１９】
請求項４に記載の発明において、前記圧力発生手段は、前記チャンバ空間内の圧力を増加させることにより正圧を発生させることを特徴とする。
【００２０】
この構成によれば、圧力発生手段が、チャンバ空間内の圧力を増加させることにより正圧を発生させ、この状態でチャンバ空間内の圧力を検出することによりチャンバ部材が破損しているか否かの故障判定を行うことができる。
【００２１】
請求項５に記載の発明において、前記圧力発生手段と前記チャンバ空間との間に、前記切替え手段によって開閉する開閉弁が配設されたことを特徴とする。
【００２２】
この構成によれば、切替え手段が、圧力発生手段とチャンバ空間との間に配設された開閉弁を開状態とすることにより、通常モードから診断モードへ確実に切り替えることができ、開閉弁を閉状態とすることにより、診断モードから通常モードへ確実に切り替えることができる。すなわち、開閉弁が開状態の時は、チャンバ空間は圧力発生手段と連通するので、診断モード時に圧力発生手段によってチャンバ空間内の圧力変動を実行することができる。一方、開閉弁が閉状態の時は、チャンバ空間は圧力発生手段と連通しないので、圧力発生手段からの圧力がチャンバ空間に導入されることを防ぐことができる。
【００２３】
請求項６に記載の発明において、前記圧力発生手段と前記チャンバ部材の前記チャンバ空間とは導通管によって連結されていることを特徴とする。
【００２４】
この構成によれば、圧力発生手段とチャンバ部材のチャンバ空間とは導通管によって連結されていることで、圧力発生手段とチャンバ空間とが連通し、圧力発生手段によりチャンバ部材のチャンバ空間内の圧力を変動させることができる。
【００２５】
請求項７に記載の発明において、前記圧力発生手段は、前記車両内に配置された既存の圧力発生源であることを特徴とする。
【００２６】
この構成によれば、圧力発生手段は、車両内に配置された既存の圧力発生源であり、例えば、空気を吸入する際に発生する負圧又は圧縮した空気を供給する際に発生する正圧を利用して、チャンバ空間内の圧力を変動させることができる。よって、圧力を変動させる装置を別個に取り付ける必要が無くなり、コストの低減が可能である。
【００２７】
請求項８に記載の発明において、前記圧力発生手段は、エアサスコンプレッサ、インテークマニホールド又はブレーキブースターのいずれかであることを特徴とする。
【００２８】
この構成によれば、圧力発生手段としてエアサスコンプレッサ、インテークマニホールド又はブレーキブースターのいずれかを用いることにより、圧力を変動させる装置を別個に取り付ける必要が無くなり、コストの低減が可能である。
【図面の簡単な説明】
【００２９】
【図１】第一実施形態の車両用衝突検知装置を平面視にて示す全体構成図である。
【図２】第一実施形態の車両用衝突検知装置の横から見た要部断面図（図１のＡ−Ａ線断面）である。
【図３】第一実施形態においてチャンバ部材の故障判定処理を示すフローチャートである。
【図４】第一実施形態においてチャンバ部材のチャンバ空間内の圧力と時間との関係を示したグラフである。
【図５】第一実施形態の変形例においてチャンバ部材の故障判定処理を示すフローチャートである。
【図６】第二実施形態の車両用衝突検知装置を平面視にて示す全体構成図である。
【図７】第二実施形態においてチャンバ部材の故障判定処理を示すフローチャートである。
【図８】第二実施形態においてチャンバ部材のチャンバ空間内の圧力及び圧力発生源の圧力を示したグラフである。
【図９】第二実施形態の変形例においてチャンバ部材の故障判定処理を示すフローチャートである。
【発明を実施するための形態】
【００３０】
以下、本発明の車両用衝突検知装置を具体化した各実施形態について図面を参照しつつ説明する。図１は、本発明の第一実施形態である車両用衝突検知装置１を平面視にて示す全体構成図である。図２は、車両用衝突検知装置１を横から見た要部断面図である。
【００３１】
第一実施形態の車両用衝突検知装置１は、図１に示すように、車両のバンパ２内に配設されたバンパカバー３と、チャンバ部材７と、圧力センサ８と、歩行者保護装置ＥＣＵ１０と、圧力発生源１１とを主体として構成されている。
【００３２】
バンパ２は、図１、図２に示すように、バンパカバー３、バンパレインフォースメント４、サイドメンバ５、アブソーバ６、及びチャンバ部材７を主体として構成されている。尚、図２では、バンパカバー３、バンパレインフォースメント４、アブソーバ６、チャンバ部材７及びパイプ１２をそれぞれ断面で示している。
【００３３】
バンパカバー３は、車両前端にて車幅方向（左右方向）に延び、バンパレインフォースメント４、サイドメンバ５、アブソーバ６、及びチャンバ部材７を覆うように車体に取り付けられる樹脂（例えば、ポリプロピレン）製カバー部材である。
【００３４】
バンパレインフォースメント４は、バンパカバー３内に配設されて車幅方向に延びる金属製の構造部材であって、図２に示すように、内部中央に梁が設けられた日の字状断面を有する中空部材である。
【００３５】
サイドメンバ５は、車両の左右両側面近傍に位置して車両前後方向に延びる一対の金属製部材であり、その前端に上述したバンパレインフォースメント４が取り付けられる。
【００３６】
アブソーバ６は、バンパカバー３内でバンパレインフォースメント前面４ａの前方側に取り付けられる車幅方向に延びる発泡樹脂製部材であり、バンパ２における衝撃吸収作用を発揮する。後述するチャンバ部材７の下方側に位置する。
【００３７】
チャンバ部材７は、バンパカバー３内でバンパレインフォースメント前面４ａの前方側に取り付けられ、車幅方向に延びる略箱状のポリエチレンなどの合成樹脂製の中空部材である。より詳細には、チャンバ部材７は、チャンバ本体７１と、延設部７２とを備えている。
【００３８】
チャンバ本体７１は、チャンバ部材７の大部分を占めており、車幅方向に延びて軟質樹脂からなる厚さ数ｍｍの壁面によって囲まれた略密閉状のチャンバ空間７ａを内部に形成している。チャンバ空間７ａには、空気が封入されており、完全密閉状態である必要はない。
【００３９】
延設部７２は、軟質樹脂によってチャンバ本体７１と一体的に成形され、チャンバ本体７１の車幅方向の略中央部分からバンパレインフォースメント上面４ｂに延び、車体前方側から車体後方側へ延設された部位である。延設部７２の内部空間は、チャンバ本体７１の内部空間と連通しており、チャンバ空間７ａの一部分を形成している。そして、延設部７２に圧力センサ８が配設されている。
【００４０】
圧力センサ８は、気体圧力を検出可能なセンサ装置であり、圧力センサ８の本体と、圧力導入管８１とで構成され、圧力センサ８の本体には圧力検出用のセンサ素子が設けられている。そして、圧力導入管８１は、延設部７２の上方から挿入され、チャンバ空間７ａの圧力を検出する。圧力センサ８は、圧力値を出力し、信号線１０ａを介して歩行者保護装置ＥＣＵ１０へ信号を送信する。尚、圧力センサ８は、ブラケット９を介して固定される。
【００４１】
ブラケット９は、延設部７２を跨ぐブリッジ状に形成され且つバンパレインフォースメント４の上面に固定され、ブラケット９上方に圧力センサ８が取り付け固定される。
【００４２】
歩行者保護装置ＥＣＵ１０は、圧力センサ８と接続され、車両本体に配置されている。歩行者保護装置ＥＣＵ１０は、図示しない歩行者保護装置（たとえば公知の歩行者保護用のエアバッグやフード跳ね上げ装置など）の起動制御を行うための電子制御装置であり、圧力センサ８から出力される信号が信号線１０ａを介して入力されるように構成される。歩行者保護装置ＥＣＵ１０は、圧力センサ８における圧力検出結果に基づいて、車両のバンパ２へ歩行者（すなわち、人体）が衝突したか否かを判別する処理を実行する。
【００４３】
また、歩行者保護装置ＥＣＵ１０は、後述の電磁弁１３と接続され、信号線１３ａを介して電磁弁１３を開閉制御することにより、通常モードと診断モードとの切り替えを行う。ここで、通常モードは、電磁弁１３が閉状態の場合であり、圧力発生源１１によってチャンバ空間７ａ内の圧力変動が実行されない状態である。一方、診断モードは、電磁弁１３が開状態の場合であり、圧力発生源１１によってチャンバ空間７ａ内の圧力変動が実行される状態である。つまり、電磁弁１３は、歩行者保護装置ＥＣＵ１０によって、通常モードから診断モードへの切り替え時に開状態とされ、診断モードから通常モードへの切り替え時に閉状態とされる。
【００４４】
圧力発生源１１は、車両内に配置された正圧又は負圧を発生させる圧力発生源であり、パイプ１２と連結されてチャンバ空間７ａに連通している。診断モードにおいて、圧力発生源１１の正圧又は負圧の圧力によってチャンバ空間７ａ内の圧力を変動させる。
【００４５】
尚、圧力発生源１１としては、専用の圧力発生源を設けてもよいし、車両内に配置された既存の圧力発生源を利用してもよい。例えば、車内に設けられた負圧を発生させるインテークマニホールド（図示せず。）もしくは制動倍力装置であるブレーキブースター（図示せず。）又は車内に設けられた正圧を発生させるエアサスコンプレッサ（図示せず。）などを、圧力発生源１１として用いることができる。
【００４６】
ここで、インテークマニホールドとは、空気をエンジンの各シリンダー（図示せず）へ分配する既知の気管である。内燃機関の車両エンジンの多くは、４サイクルエンジンに代表されるように、吸入、圧縮、爆発、排気という４行程を繰り返す。そして、吸入行程において、ピストンがシリンダー内を下降することでインテークマニホールドを通じてガソリン及び空気がシリンダーの負圧によりシリンダー内へ吸い込まれる。この際のシリンダーの負圧を利用して、チャンバ部材７のチャンバ空間７ａ内の圧力を変動させる（尚、シリンダー内に空気を強制的に押し込む過給方式であるターボチャージャーやスーパーチャージャーなどの場合は、負圧ではなく正圧となる。）。
【００４７】
また、ブレーキブースターとは、例えば、エンジンのインテークマニホールドの負圧を利用したブレーキ制動を倍力するものである。ブレーキブースターが用いる負圧を利用して、チャンバ空間７ａ内の圧力を変動させてもよい。また、エアサスコンプレッサとは、車体と車輪との間に配設されたエアサスペンションのエアスプリング内へ圧縮した空気を供給し、エアスプリングの圧力を安定させものである。エアサスコンプレッサが圧縮した空気を供給する際の正圧を利用して、チャンバ空間７ａ内の圧力を変動させてもよい。
【００４８】
パイプ１２は、バンパレインフォースメント４を車両前後方向に貫通するように配設され、チャンバ部材７のチャンバ空間７ａと圧力発生源１１とを連結する管状部材である。すなわち、パイプ１２によって、チャンバ部材７のチャンバ空間７ａと圧力発生源１１とが連結され、圧力発生源１１からの圧力をチャンバ空間７ａへ導入する。また、パイプ１２の中間には、電磁弁１３が配設されている。
【００４９】
電磁弁１３は、電磁石の磁力を用いて開閉する弁であり、圧力発生源１１とチャンバ部材７とを連通させるパイプ１２に設けられる。電磁弁１３は、通常モードから診断モードへの切り替えの際に、信号線１３ａを介して歩行者保護装置ＥＣＵ１０からの制御信号により開状態とされ（診断モード）、診断モードから通常モードへの切り替えの際に制御信号により閉状態とされる（通常モード）。電磁弁１３が開状態の時は、チャンバ部材７のチャンバ空間７ａはパイプ１２を通じて圧力発生源１１と連通するので、圧力発生源１１によってチャンバ空間７ａ内の圧力変動が実行される。一方、電磁弁１３が閉状態の時は、チャンバ部材７のチャンバ空間７ａは圧力発生源１１と連通しないので、圧力発生源１１からの圧力がチャンバ空間７ａに導入されることを防ぐことができる。尚、電磁弁１３に代えて、モータで弁が開閉する電動弁を用いる構成としてもよい。
【００５０】
次に、本実施形態の車両用衝突検知装置１による衝突の検知について説明する（後述する変形例、他の実施形態も同様。）。尚、衝突検知は、通常モード（電磁弁１３が閉状態）において実施される。本実施形態の衝突検知装置が組み付けられた車両のバンパ２に歩行者が衝突すると、歩行者がバンパ２を押圧することとなり、バンパカバー３を介してアブソーバ６が衝撃を吸収しつつ、チャンバ部材７が押圧されてチャンバ部材７の押圧された部分は変形し潰れる。そして、チャンバ部材７は、押圧され変形し、チャンバ空間７ａにおける気体圧力が増大する。この圧力の増大が圧力導入管８１を経て圧力センサ８により検出され、出力される信号が信号線１０ａを介して歩行者保護装置ＥＣＵ１０に送られ、圧力検出結果に基づいて車両のバンパ２へ歩行者（すなわち、人体）が衝突したか否かを判別する処理を実行することになる。
【００５１】
次に、本実施形態における歩行者保護装置ＥＣＵ１０において実行されるチャンバ部材７の故障判定処理の流れについて図３を参照しつつ説明する。図３は、チャンバ部材７が破損しているか否かの故障診断処理の流れを示すフローチャートである。
【００５２】
始めに、イグニッションキーをオンにしエンジン運転中の状態になると、歩行者保護装置ＥＣＵ１０は、圧力センサ８により検出される圧力値Ａ０、Ａ１をそれぞれ初期化する。（ステップ１００。以下、ステップ１００をＳ１００と略記する。他のステップも同様。）。
【００５３】
次に、通常モード（電磁弁１３閉状態）におけるチャンバ空間７ａの圧力値Ａ０を圧力センサ８から読み込む（Ｓ１１０）。続いて、電磁弁１３を開状態とすると共に、タイマＴのカウントを開始する（Ｓ１２０）。これにより、通常モードから診断モードへ切り替えられる。電磁弁１３が開状態となったことにより、パイプ１２を通じて圧力発生源１１とチャンバ空間７ａとが連通し、圧力発生源１１によって発生した負圧によりチャンバ空間７ａの圧力が変動し始める。この状態で、タイマカウントＴの値が所定値（例えば、２０ｍｓ）を超えるまで待機する（Ｓ１３０）。タイマカウントＴが所定値を超えると、診断モードでのチャンバ空間７ａ内の圧力値Ａ１を圧力センサ８から読み込む（Ｓ１４０）。
【００５４】
次に、圧力値Ａ０と圧力値Ａ１との差の絶対値（圧力変動量）を算出し、しきい値Ｐｔｈと比較する（Ｓ１５０）。圧力値Ａ０と圧力値Ａ１との差の絶対値（圧力変動量）がしきい値Ｐｔｈ以上の場合（｜Ａ０−Ａ１｜≧Ｐｔｈ、Ｓ１５０：Ｙｅｓ）、電磁弁１３を閉じて通常モードへ切り替え（Ｓ１９０）、チャンバ部材７に破れ無し（すなわち、正常）と判定し（Ｓ１９５）、故障判定処理を終了する。
【００５５】
一方、圧力値Ａ０と圧力値Ａ１との差の絶対値（圧力変動量）がしきい値Ｐｔｈよりも小さい場合（｜Ａ０−Ａ１｜＜Ｐｔｈ、Ｓ１５０：Ｎｏ）、電磁弁１３を閉じて通常モードへ切り替え（Ｓ１６０）、チャンバ部材７が異常と判定し（Ｓ１７０）、警告灯を点灯して（Ｓ１８０）、故障判定処理を終了する。この場合、歩行者の衝突の際に、歩行者保護装置を正常に作動させることができないため、チャンバ部材７の修理交換等が必要となる。つまり、歩行者保護装置ＥＣＵ１０は、運転者に対して、チャンバ部材７に破損等が生じていることを知らせるために警告灯としてのダイアグランプを点灯させ、チャンバ部材７の修理交換を促す。
【００５６】
尚、Ｓ１２０、Ｓ１６０、Ｓ１９０のステップが本実施形態の切替え手段として機能するものであり、Ｓ１３０〜Ｓ１５０、Ｓ１７０、Ｓ１９５のステップが、本実施形態の故障判定手段として機能するものである。
【００５７】
次に、チャンバ部材７に破損が無い場合、チャンバ部材７に小破損が生じている（小さな穴が開いている）場合、及びチャンバ部材７に大破損が生じている（大きな穴が開いている）場合の３つのケースにおけるチャンバ部材７の圧力変化及び故障判定について、図４を参照しつつ説明する。
【００５８】
最初に、圧力発生源１１が負圧発生源である場合について、図３のフローチャート及び図４（ａ）を参照しつつ説明する。図４（ａ）は、圧力発生源１１が負圧発生源の場合におけるチャンバ空間７ａ内の圧力変化を示すグラフである。尚、いずれのケースでも通常モードから診断モードへの切り替え前のチャンバ空間７ａの圧力値はＰＡ０であるとする（図３：Ｓ１１０）。
【００５９】
チャンバ部材７に破損が無い場合、電磁弁１３を開いて２０ｍｓが経過すると（Ｓ１２０、Ｓ１３０）、圧力値Ａ１はＰＡ１まで低下し（Ｓ１４０）、圧力値Ａ０と圧力値Ａ１との差の絶対値（圧力変動量）がしきい値Ｐｔｈ以上となり（｜Ａ０−Ａ１｜≧Ｐｔｈ、Ｓ１５０：Ｙｅｓ）、正常であると判定される（Ｓ１９０、Ｓ１９５）。
【００６０】
チャンバ部材７に小破損が生じている場合、電磁弁１３を開いて２０ｍｓが経過した時点で（Ｓ１２０、Ｓ１３０）、圧力値Ａ１はＰＡ１’までしか低下しない（Ｓ１４０）。すなわち、チャンバ部材７に小さな穴が開いている場合は、小さな穴を介してチャンバ部材７から少しずつ空気が流入するため圧力値Ａ１の低下は小幅となる。このため、圧力値Ａ０と圧力値Ａ１との差の絶対値（圧力変動量）がしきい値Ｐｔｈ未満となり（｜Ａ０−Ａ１｜＜Ｐｔｈ、Ｓ１５０：Ｎｏ）、異常であると判定される（Ｓ１６０〜Ｓ１８０）。
【００６１】
チャンバ部材７に大破損が生じている場合、電磁弁１３を開いて２０ｍｓが経過した時点で（Ｓ１２０、Ｓ１３０）、圧力値Ａ１に変化はなくＰＡ０のままである（Ｓ１４０）。すなわち、チャンバ部材７に大きな穴が開いている場合は、大きな穴を介してチャンバ部材７の外部から空気が大量に流入するため圧力値Ａ１は変化しない。このため、圧力値Ａ０と圧力値Ａ１との差の絶対値（圧力変動量）がしきい値Ｐｔｈ未満となり（｜Ａ０−Ａ１｜＜Ｐｔｈ、Ｓ１５０：Ｎｏ）、異常であると判定される（Ｓ１６０〜Ｓ１８０）。
【００６２】
次に、圧力発生源１１が正圧発生源である場合について、図３のフローチャート及び図４（ｂ）を参照しつつ説明する。図４（ｂ）は、圧力発生源１１が正圧発生源の場合におけるチャンバ空間７ａ内の圧力変化を示すグラフである。尚、いずれのケースでも通常モードから診断モードへの切り替え前のチャンバ空間７ａの圧力値はＰＡ０であるとする（図３：Ｓ１１０）。
【００６３】
チャンバ部材７に破損が無い場合、電磁弁１３を開いて２０ｍｓが経過すると（Ｓ１２０、Ｓ１３０）、圧力値Ａ１はＰＡ１まで上昇し（Ｓ１４０）、圧力値Ａ０と圧力値Ａ１との差の絶対値（圧力変動量）がしきい値Ｐｔｈ以上となり（｜Ａ０−Ａ１｜≧Ｐｔｈ、Ｓ１５０：Ｙｅｓ）、正常であると判定される（Ｓ１９０、Ｓ１９５）。
【００６４】
チャンバ部材７に小破損が生じている場合、電磁弁１３を開いて２０ｍｓが経過した時点で（Ｓ１２０、Ｓ１３０）、圧力値Ａ１はＰＡ１’までしか上昇しない（Ｓ１４０）。すなわち、チャンバ部材７に小さな穴が開いている場合は、小さな穴を介してチャンバ部材７の外部へ少しずつ空気が流出するため圧力値Ａ１の上昇は小幅となる。このため、圧力値Ａ０と圧力値Ａ１との差の絶対値（圧力変動量）がしきい値Ｐｔｈ未満となり（｜Ａ０−Ａ１｜＜Ｐｔｈ、Ｓ１５０：Ｎｏ）、異常であると判定される（Ｓ１６０〜Ｓ１８０）。
【００６５】
チャンバ部材７に大破損が生じている場合、電磁弁１３を開いて２０ｍｓが経過した時点で（Ｓ１２０、Ｓ１３０）、圧力値Ａ１に変化はなくＰＡ０のままである（Ｓ１４０）。すなわち、チャンバ部材７に大きな穴が開いている場合は、大きな穴を介してチャンバ部材７の外部へ空気が大量に流出するため圧力値Ａ１は変化しない。このため、圧力値Ａ０と圧力値Ａ１との差の絶対値（圧力変動量）がしきい値Ｐｔｈ未満となり（｜Ａ０−Ａ１｜＜Ｐｔｈ、Ｓ１５０：Ｎｏ）、異常であると判定される（Ｓ１６０〜Ｓ１８０）。
【００６６】
以上詳述したことから明らかなように、第一実施形態によれば、車両のバンパ２内でバンパレインフォースメント４の前面に配設されチャンバ空間７ａを内部に形成してなるチャンバ本体７１を有するチャンバ部材７において、圧力発生源１１（インテークマニホールド等）によりチャンバ空間７ａ内の圧力変動が実行されない通常モードでは、圧力センサ８がチャンバ空間７ａ内の圧力を検出し、その圧力検出結果に基づいてバンパ２への衝突を検知することができる。一方、通常モードから圧力発生源１１によりチャンバ空間７ａ内の圧力変動が実行される診断モードに切り替えられると、故障判定手段としての歩行者保護装置ＥＣＵ１０は、この状態でチャンバ空間７ａ内の圧力を圧力センサ８により検出し、その圧力検出結果に基づいてチャンバ部材７が破損しているか否かの故障判定を行うことができる。
【００６７】
すなわち、故障判定手段（歩行者保護装置ＥＣＵ１０）は、通常モードから診断モードへの切り替え前後のチャンバ空間７ａ内の圧力変動量、すなわち、通常モードにおけるチャンバ空間７ａ内の圧力と診断モードにおけるチャンバ空間７ａ内の圧力との差を圧力センサ８により検出する。ここで、チャンバ部材７に破損が生じていない正常時は、圧力センサ８によって、予め実験等により想定される所定の圧力変動量が検出される。これに対し、チャンバ部材７に破損が生じている故障時は、当該破損箇所から空気が流出（正圧の場合）又は流入（負圧の場合）するので、圧力センサ８により検出される圧力変動量は、上記所定の圧力変動量よりも小さくなる。
【００６８】
従って、一つの圧力センサを用いた簡単な構成で、通常モードから診断モードへの切替えに伴うチャンバ空間７ａ内の圧力変動量を圧力センサ８により検出することによって、チャンバ部材７が破損しているか否かを確実に判定することができる。
【００６９】
また、故障判定手段（歩行者保護装置ＥＣＵ１０）は、切替え手段（歩行者保護装置ＥＣＵ１０）によって通常モードから診断モードへ切り替えられた時から所定時間経過後に、チャンバ部材７が破損しているか否かの故障判定を行う。すなわち、通常モードから診断モードへ切り替えられた時から所定時間が経過して充分にチャンバ空間７ａ内の圧力が変化した状態で、圧力センサ８によりチャンバ空間７ａ内の圧力を検出してチャンバ部材７の故障判定を行うので、チャンバ部材７が破損しているか否かを正確に判定することができる。
【００７０】
また、圧力発生源１１は、車両内に配置された既存の圧力発生源であり、例えば、空気を吸入する際に発生する負圧又は圧縮した空気を供給する際に発生する正圧を利用して、チャンバ空間７ａ内の圧力を変動させ、この状態でチャンバ空間７ａ内の圧力を検出することによりチャンバ部材７が破損しているか否かの故障判定を行うことができる。
【００７１】
そして、圧力発生源１１は、車両内に配置されたインテークマニホールド若しくはブレーキブースター又はエアサスコンプレッサのいずれかを用いることにより、圧力を変動させる装置を別個に取り付ける必要が無くなり、コストの低減が可能である。
【００７２】
そして、切替え手段（歩行者保護装置ＥＣＵ１０）が、圧力発生源１１とチャンバ空間７ａとの間に配設された電磁弁１３を開状態とすることにより、通常モードから診断モードへ確実に切り替えることができ、電磁弁１３を閉状態とすることにより、診断モードから通常モードへ確実に切り替えることができる。すなわち、電磁弁１３が開状態の時は、チャンバ空間７ａは圧力発生源１１と連通するので、診断モード時に圧力発生源１１によってチャンバ空間７ａ内の圧力変動を実行することができる。一方、電磁弁１３が閉状態の時は、チャンバ空間７ａは圧力発生源１１と連通しないので、圧力発生源１１からの圧力がチャンバ空間７ａに導入されることを防ぐことができる。
【００７３】
更に、圧力発生源１１とチャンバ部材７のチャンバ空間７ａとはパイプ１２によって連結されているため、車両内に配置された圧力発生源１１を用いてチャンバ部材７のチャンバ空間７ａ内の圧力を変動させることができる。
【００７４】
次に、第一実施形態の変形例の車両用衝突検知装置１について説明する。上記第一実施形態では通常モードから診断モードへ切り替えられた時から所定時間経過後に、チャンバ部材７が破損しているか否かの故障判定を行う構成としたが、本変形例は、所定時間が経過するまでの間に、故障判定を繰り返し行う点を特徴とする。その他の構成は、第一実施形態と同じである。ここで、本変形例における歩行者保護装置ＥＣＵ１０において実行されるチャンバ部材７の故障判定処理の流れについて図５を参照しつつ説明する。
【００７５】
図５は、チャンバ部材７が破損しているか否かの故障診断処理の流れを示すフローチャートである。尚、図５のＳ２００〜Ｓ２２０は図３のＳ１００〜Ｓ１２０に、図５のＳ２６０〜Ｓ２９５は図３のＳ１６０〜Ｓ１９５にそれぞれ該当するため、説明を簡略化し、図３とは異なるステップについて主に説明する。
【００７６】
始めに、歩行者保護装置ＥＣＵ１０は各圧力値を初期化し（Ｓ２００）、通常モードでのチャンバ空間７ａの圧力値Ａ０を読み込む（Ｓ２１０）。続いて、電磁弁１３を開状態とすると共に、タイマＴのカウントを開始する（Ｓ２２０）。これにより、通常モードから診断モードへ切り替えられる。電磁弁１３が開状態となり圧力発生源１１による変動が実行される。診断モードでのチャンバ空間７ａの圧力値Ａ１を圧力センサ８から読み込む（Ｓ２３０）。
【００７７】
次に、圧力値Ａ０と圧力値Ａ１との差の絶対値（圧力変動量）を算出し、しきい値Ｐｔｈと比較する。圧力値Ａ０と圧力値Ａ１との差の絶対値（圧力変動量）がしきい値Ｐｔｈよりも小さい場合（｜Ａ０−Ａ１｜＜Ｐｔｈ、Ｓ２４０：Ｎｏ）、タイマカウントＴの値が所定値（例えば、２０ｍｓ）が経過するまでの間（Ｓ２５０：Ｎｏ）、Ｓ２３０〜Ｓ２５０のステップを繰り返し行う。尚、所定値が経過するまでＳ２３０〜Ｓ２５０のステップを繰り返すのは、電磁弁１３が開状態となり通常モードから診断モードへ切り替えられた直後は充分にチャンバ空間７ａの圧力が変化していないおそれがあり（図４に示す時間ｔｓにおけるチャンバ空間７ａ内の圧力）、測定回数が増えることで誤検出を防ぐことができ、判定精度を高くすることができるためである。そして、所定値が２０ｍｓを超えた場合（Ｓ２５０：Ｙｅｓ）、電磁弁１３を閉じて通常モードへ切り替え（Ｓ２６０）、チャンバ部材７が異常と判定し（Ｓ２７０）、警告灯を点灯して（Ｓ２８０）、故障判定処理を終了する。この場合、歩行者の衝突の際に、歩行者保護装置を正常に作動させることができないため、チャンバ部材７の修理交換等が必要となる。
【００７８】
一方、圧力値Ａ０と圧力値Ａ１との差の絶対値（圧力変動量）を算出し、圧力値Ａ０と圧力値Ａ１との差の絶対値（圧力変動量）がしきい値Ｐｔｈ以上の場合（｜Ａ０−Ａ１｜≧Ｐｔｈ、Ｓ２４０：Ｙｅｓ）、電磁弁１３を閉じて通常モードへ切り替え（Ｓ２９０）、チャンバ部材７に破れ無し（すなわち、正常）と判定し（Ｓ２９５）、故障判定処理を終了する。
【００７９】
従って、通常モードから診断モードへの切り替え前後のチャンバ空間内の圧力変動量、すなわち、通常モードにおけるチャンバ空間７ａ内の圧力と診断モードにおけるチャンバ空間７ａ内の圧力との差を圧力センサ８により検出することにより、故障判定手段（歩行者保護装置ＥＣＵ１０）がチャンバ部材７に圧力検出に支障をきたす破損が生じているか否かを判別することが可能である。
【００８０】
尚、Ｓ２２０、Ｓ２６０、Ｓ２９０のステップが本変形例の切替え手段として機能するものであり、Ｓ２３０〜Ｓ２５０、Ｓ２７０、Ｓ２９５のステップが本変形例の故障判定手段として機能するものである。
【００８１】
第一実施形態の変形例によれば、故障判定手段（歩行者保護装置ＥＣＵ１０）は、切替え手段（歩行者保護装置ＥＣＵ１０）によって通常モードから診断モードへ切り替えられた時から所定時間が経過するまでの間に、チャンバ部材７が破損しているか否かの故障判定を繰り返すので、測定回数が増えることで誤検出を防ぐことができ、故障判定の精度を高くすることができる。
【００８２】
次に、第二実施形態の車両用衝突検知装置１００について説明する。本実施形態の車両用衝突検知装置１００は、図６に示すように、車両のバンパ２内に配設されたバンパカバー３と、チャンバ部材７と、圧力センサ８と、歩行者保護装置ＥＣＵ１０と、圧力発生源１１と、圧力発生源１１に設けられてその圧力発生源１１が発生する圧力を検出する他の圧力センサ（図示せず。）とを主体として構成されている。
【００８３】
尚、圧力発生源１１として用いられるインテークマニホールド、ブレーキブースターやエアサスコンプレッサには、一般的に、吸入する空気の負圧又は圧縮した空気の正圧を測定する圧力センサが取り付けられており、歩行者保護装置ＥＣＵ１０が信号線１１ａを介して該圧力センサからの圧力を読み込むように構成される。
【００８４】
そして、本実施形態では、ブラケット９上方に取り付けられた圧力センサ８の検出結果と圧力発生源１１に設けられた他の圧力センサの検出結果とを比較することにより、チャンバ部材７が破損しているか否かについて故障判定手段が判定する。つまり、第一実施形態の車両用衝突検知装置１が一つの圧力センサ８を用いるのに対して、本実施形態の車両用衝突検知装置１００は、診断モードにおいて、２つの圧力センサを用いる点が第一実施形態と異なる。尚、本実施形態の車両用衝突検知装置１００において、上述した第一実施形態の車両用衝突検知装置１と同一構成については、同一符号を付して説明を省略する（他の実施形態及び変形例も同様。）。本実施形態における歩行者保護装置ＥＣＵ１０において実行されるチャンバ部材７の故障判定処理の流れについて図７を参照しつつ説明する。図７は、チャンバ部材７が破損しているか否かの故障診断処理の流れを示すフローチャートである。尚、図７のＳ３６０〜Ｓ３９５は図３のＳ１６０〜Ｓ１９５にそれぞれ該当するため、説明を簡略化し、図３とは異なるステップについて主に説明する。
【００８５】
始めに、イグニッションキーをオンにしエンジン運転中の状態になると、歩行者保護装置ＥＣＵ１０は、圧力センサ８により検出される圧力値Ａ１及び圧力発生源１１に設けられた他の圧力センサにより検出される圧力値Ｂ１をそれぞれ初期化する（Ｓ３００）。
【００８６】
次に、電磁弁１３を開状態とすると共に、タイマＴのカウントを開始する（Ｓ３２０）。これにより、通常モードから診断モードへ切り替えられる。電磁弁１３が開状態となったことにより、パイプ１２を通じて圧力発生源１１とチャンバ空間７ａとが連通し、圧力発生源１１によって発生した負圧によりチャンバ空間７ａの圧力が変動し始める。この状態で、タイマカウントＴの値が所定値（例えば、２０ｍｓ）を超えるまで待機する（Ｓ３３０）。タイマカウントＴが所定値を超えると、診断モードでの圧力センサ８により検出される圧力値Ａ１を読み込むと共に、圧力発生源１１に設けられた他の圧力センサにより検出される圧力値Ｂ１を読み込む（Ｓ３４０）。
【００８７】
次に、圧力値Ａ１と圧力値Ｂ１との比（Ａ１／Ｂ１）を算出する（Ｓ３５０）。圧力値Ａ１と圧力値Ｂ１との比（Ａ１／Ｂ１）がしきい値Ｐｔｈ１以上の場合（Ａ１／Ｂ１≧Ｐｔｈ１、Ｓ３５０：Ｙｅｓ）、電磁弁１３を閉じて通常モードへ切り替え（Ｓ３９０）、チャンバ部材７に破れ無し（すなわち、正常）と判定し（Ｓ３９５）、故障判定処理を終了する。
【００８８】
一方、圧力値Ａ１と圧力値Ｂ１との比（Ａ１／Ｂ１）がしきい値Ｐｔｈ１より小さい場合（Ａ１／Ｂ１＜Ｐｔｈ１、Ｓ３５０：Ｎｏ）、電磁弁１３を閉じて通常モードへ切り替え（Ｓ３６０）、チャンバ部材７が異常と判定し（Ｓ３７０）、警告灯を点灯して（Ｓ３８０）、故障判定処理を終了する。この場合、歩行者の衝突の際に、歩行者保護装置を正常に作動させることができないため、チャンバ部材７の修理交換等が必要となる。つまり、歩行者保護装置ＥＣＵ１０は、運転者に対して、チャンバ部材７に破損等が生じていることを知らせるために警告灯としてのダイアグランプを点灯させ、チャンバ部材７の修理交換を促す。
【００８９】
尚、Ｓ３２０、Ｓ３６０、Ｓ３９０のステップが、本実施形態の切替え手段として機能するものであり、Ｓ３３０〜Ｓ３５０、Ｓ３７０、Ｓ３９５のステップが、本実施形態の故障判定手段として機能するものである。
【００９０】
次に、チャンバ部材７に破損が無い場合、チャンバ部材７に小破損が生じている（小さな穴が開いている）場合、及びチャンバ部材７に大破損が生じている（大きな穴が開いている）場合の３つのケースにおけるチャンバ部材７の圧力変化及び故障判定について、図８を参照しつつ説明する。尚、図８の例では、圧力発生源１１によって発生された圧力は、電磁弁１３を開閉する前後でほぼ変わらず一定であるとする。
【００９１】
最初に、圧力発生源１１が負圧発生源である場合について、図７のフローチャート及び図８（ａ）を参照しつつ説明する。図８（ａ）は、圧力発生源１１が負圧発生源の場合における圧力発生源１１の圧力変化とチャンバ空間７ａ内の圧力変化とを示すグラフである。尚、いずれのケースでも通常モードから診断モードへの切り替え前のチャンバ空間７ａの圧力値はＰＡ０であるとする（図７：Ｓ３００）。
【００９２】
チャンバ部材７に破損が無い場合、電磁弁１３を開いて２０ｍｓが経過すると（Ｓ３２０、Ｓ３３０）、圧力値Ａ１はＰＡ１まで低下し、圧力値Ｂ１はＰＡ１よりも低いＰＢを示し（Ｓ３４０）、圧力値Ａ１と圧力値Ｂ１との比（Ａ１／Ｂ１）がしきい値Ｐｔｈ１以上となり（Ａ１／Ｂ１≧Ｐｔｈ１、Ｓ３５０：Ｙｅｓ）、正常であると判定される（Ｓ３９０、Ｓ３９５）。尚、圧力値Ｂ１が圧力値Ａ１よりも低いのは、チャンバ部材７は略密閉ではあるが、完全な密閉性が確保されていないからである。
【００９３】
チャンバ部材７に小破損が生じている場合、電磁弁１３を開いて２０ｍｓが経過した時点で（Ｓ３２０、Ｓ３３０）、圧力値Ａ１はＰＡ１’までしか低下せず、圧力値Ｂ１はＰＡ１よりも低いＰＢを示す（Ｓ３４０）。すなわち、チャンバ部材７に小さな穴が開いている場合は、小さな穴を介してチャンバ部材７から少しずつ空気が流入するため圧力値Ａ１の低下は小幅となる。このため、圧力値Ａ１と圧力値Ｂ１との比（Ａ１／Ｂ１）がしきい値Ｐｔｈ１未満となり（Ａ１／Ｂ１＜Ｐｔｈ１、Ｓ３５０：Ｎｏ）、異常であると判定される（Ｓ３６０〜Ｓ３８０）。
【００９４】
チャンバ部材７に大破損が生じている場合、電磁弁１３を開いて２０ｍｓが経過した時点で（Ｓ３２０、Ｓ３３０）、圧力値Ａ１に変化はなくＰＡ０のままであり、圧力値Ｂ１はＰＡ１よりも低いＰＢを示す（Ｓ３４０）。すなわち、チャンバ部材７に大きな穴が開いている場合は、大きな穴を介してチャンバ部材７の外部から空気が大量に流入するため圧力値Ａ１は変化しない。このため、圧力値Ａ１と圧力値Ｂ１との比（Ａ１／Ｂ１）がしきい値Ｐｔｈ１未満（Ａ１／Ｂ１＜Ｐｔｈ１、Ｓ３５０：Ｎｏ）、異常であると判定される（Ｓ１６０〜Ｓ１８０）。
【００９５】
次に、圧力発生源１１が正圧発生源である場合について、図７のフローチャート及び図８（ｂ）を参照しつつ説明する。図８（ｂ）は、圧力発生源１１が正圧発生源の場合における圧力発生源１１の圧力変化とチャンバ空間７ａ内の圧力変化とを示すグラフである。尚、いずれのケースでも通常モードから診断モードへの切り替え前のチャンバ空間７ａの圧力値はＰＡ０であるとする（図７：Ｓ３００）。
【００９６】
チャンバ部材７に破損が無い場合、電磁弁１３を開いて２０ｍｓが経過すると（Ｓ３２０、Ｓ３３０）、圧力値Ａ１はＰＡ１まで上昇し、圧力値Ｂ１はＰＡ１よりも高いＰＢを示し（Ｓ３４０）、圧力値Ａ１と圧力値Ｂ１との比（Ａ１／Ｂ１）がしきい値Ｐｔｈ１以上となり（Ａ１／Ｂ１≧Ｐｔｈ１、Ｓ３５０：Ｙｅｓ）、正常であると判定される（Ｓ３９０、Ｓ３９５）。
【００９７】
チャンバ部材７に小破損が生じている場合、電磁弁１３を開いて２０ｍｓが経過した時点で（Ｓ３２０、Ｓ３３０）、圧力値Ａ１はＰＡ１’までしか上昇せず、圧力値Ｂ１はＰＡ１よりも高い値ＰＢを示す（Ｓ３４０）。すなわち、チャンバ部材７に小さな穴が開いている場合は、小さな穴を介してチャンバ部材７の外部へ少しずつ空気が流出するため圧力値Ａ１の上昇は小幅となる。このため、圧力値Ａ１と圧力値Ｂ１との比（Ａ１／Ｂ１）がしきい値Ｐｔｈ１未満となり（Ａ１／Ｂ１＜Ｐｔｈ１、Ｓ３５０：Ｎｏ）、異常であると判定される（Ｓ３６０〜Ｓ３８０）。
【００９８】
チャンバ部材７に大破損が生じている場合、電磁弁１３を開いて２０ｍｓが経過した時点で（Ｓ３２０、Ｓ３３０）、圧力値Ａ１に変化はなくＰＡ０のままであり、圧力値Ｂ１はＰＡ１よりも高いＰＢを示す（Ｓ３４０）。すなわち、チャンバ部材７に大きな穴が開いている場合は、大きな穴を介してチャンバ部材７の外部へ空気が大量に流出するため圧力値Ａ１は変化しない。このため、圧力値Ａ１と圧力値Ｂ１との比（Ａ１／Ｂ１）がしきい値Ｐｔｈ１未満となり（Ａ１／Ｂ１＜Ｐｔｈ１、Ｓ３５０：Ｎｏ）、異常であると判定される（Ｓ３６０〜Ｓ３８０）。
【００９９】
以上詳述したことから明らかなように、第二実施形態によれば、車両のバンパ２内でバンパレインフォースメント４の前面に配設されチャンバ空間７ａを内部に形成してなるチャンバ本体７１を有するチャンバ部材７において、圧力発生源１１（インテークマニホールド等）によりチャンバ空間７ａ内の圧力変動が実行されない通常モードでは、圧力センサ８がチャンバ空間７ａ内の圧力を検出し、その圧力検出結果に基づいてバンパ２への衝突を検知することができる。一方、圧力発生源１１によりチャンバ空間７ａ内の圧力変動が実行される診断モードでは、故障判定手段が、圧力発生源１１によってチャンバ空間７ａ内の圧力変動（正圧又は負圧）を実行し、チャンバ空間７ａ内の圧力を圧力センサ８により検出すると共に、圧力発生源１１により発生された圧力を圧力発生源１１に設けられた他のセンサを用いて検出する。
【０１００】
ここで、破損のない正常なチャンバ部材７は、障害物の衝突の際に発生する圧力変動を検出できる程度の密閉性を有しているため、圧力発生源１１が所定の圧力を発生させた場合、チャンバ空間７ａ内は予め実験等により想定される他の所定の圧力に変動する。つまり、圧力発生源１１によって発生された圧力の他の圧力センサによる検出結果と、チャンバ空間７ａ内の圧力の圧力センサ８による検出結果とは、予め想定される一定の関係を示す。これに対し、チャンバ部材７に破損が生じている故障時は、当該破損箇所から空気が流出（正圧の場合）又は流入（負圧の場合）するので、チャンバ空間７ａ内の圧力の圧力センサ８による検出結果は、圧力発生源１１によって発生された圧力の他の圧力センサによる検出結果に対して一定の関係を示さなくなる。
【０１０１】
従って、チャンバ空間７ａ内の圧力を検出する圧力センサ８と圧力発生源１１に設けられた他の圧力センサとの２つの圧力センサを用いた簡単な構成で、チャンバ空間７ａにおける圧力の検出結果と圧力発生手段によって発生される圧力の検出結果とに基づいて、チャンバ部材７が破損しているか否かを確実に判定することができる。
【０１０２】
また、故障判定手段（歩行者保護装置ＥＣＵ１０）は、切替え手段（歩行者保護装置ＥＣＵ１０）によって通常モードから診断モードへ切り替えられた時から所定時間経過後に、チャンバ部材７が破損しているか否かの故障判定を行う。すなわち、通常モードから診断モードへ切り替えられた時から所定時間が経過して充分にチャンバ空間７ａ内の圧力が変化した状態で、圧力センサ８によりチャンバ空間７ａ内の圧力を検出してチャンバ部材７の故障判定を行うので、チャンバ部材７が破損しているか否かを正確に判定することができる。
【０１０３】
また、圧力発生源１１は、車両内に配置された既存の圧力発生源であり、例えば、空気を吸入する際に発生する負圧又は圧縮した空気を供給する際に発生する正圧を利用して、チャンバ空間７ａ内の圧力を変動させ、この状態でチャンバ空間７ａ内の圧力を検出することによりチャンバ部材７が破損しているか否かの故障判定を行うことができる。そして、圧力発生源１１は、車両内に配置されたインテークマニホールド若しくはブレーキブースター又はエアサスコンプレッサのいずれかを用いることにより、圧力を変動させる装置を別個に取り付ける必要が無くなり、コストの低減が可能である。
【０１０４】
そして、切替え手段（歩行者保護装置ＥＣＵ１０）が、圧力発生源１１とチャンバ空間７ａとの間に配設された電磁弁１３を開状態とすることにより、通常モードから診断モードへ確実に切り替えることができ、電磁弁１３を閉状態とすることにより、診断モードから通常モードへ確実に切り替えることができる。すなわち、電磁弁１３が開状態の時は、チャンバ空間７ａは圧力発生源１１と連通するので、診断モード時に圧力発生源１１によってチャンバ空間７ａ内の圧力変動を実行することができる。一方、電磁弁１３が閉状態の時は、チャンバ空間７ａは圧力発生源１１と連通しないので、圧力発生源１１からの圧力がチャンバ空間７ａに導入されることを防ぐことができる。
【０１０５】
更に、圧力発生源１１とチャンバ部材７のチャンバ空間７ａとはパイプ１２によって連結されているため、車両内に配置された圧力発生源１１を用いてチャンバ部材７のチャンバ空間７ａ内の圧力を変動させることができる。
【０１０６】
次に、第二実施形態の変形例の車両用衝突検知装置１００について説明する。上記第二実施形態では、通常モードから診断モードへ切り替えられた時から所定時間経過後に、チャンバ部材７が破損しているか否かの故障判定を行う構成としたが、本変形例は、上記第一実施形態の変形例と同様に、所定時間が経過するまでの間に、チャンバ部材７が破損しているか否かの故障判定を繰り返す点を特徴とする。その他の構成は、第二実施形態と同じである。本変形例における歩行者保護装置ＥＣＵ１０において実行されるチャンバ部材７の故障判定処理の流れについて図９を参照しつつ説明する。図９は、チャンバ部材７が破損しているか否かの故障診断処理の流れを示すフローチャートである。尚、図９のＳ４００、Ｓ４２０は図７のＳ３００、Ｓ３２０に、図９のＳ４６０〜Ｓ４９５は図７のＳ３６０〜Ｓ３９５にそれぞれ該当するため、説明を簡略化し、図７と異なるステップについて主に説明する。
【０１０７】
始めに、歩行者保護装置ＥＣＵ１０は、圧力センサ８により検出される圧力値Ａ１及び圧力発生源１１に設けられた他の圧力センサにより検出される圧力値Ｂ１をそれぞれ初期化する（Ｓ４００）。
【０１０８】
次に、電磁弁１３を開状態とすると共に、タイマＴのカウントを開始する（Ｓ４２０）。これにより、通常モードから診断モードへ切り替えられる。電磁弁１３が開状態となったことにより、パイプ１２を通じて圧力発生源１１とチャンバ空間７ａとが連通し、圧力発生源１１によって発生した負圧によりチャンバ空間７ａの圧力が変動し始める。診断モードでの圧力センサ８により検出される圧力値Ａ１を読み込むと共に、圧力発生源１１に設けられた他の圧力センサにより検出される圧力値Ｂ１を読み込む（Ｓ４３０）。
【０１０９】
次に、圧力値Ａ１と圧力値Ｂ１との比（Ａ１／Ｂ１）を算出する（Ｓ４４０）。圧力値Ａ１と圧力値Ｂ１との比（Ａ１／Ｂ１）がしきい値Ｐｔｈ１以上の場合（Ａ１／Ｂ１≧Ｐｔｈ１、Ｓ４４０：Ｙｅｓ）、電磁弁１３を閉じて通常モードへ切り替え（Ｓ４９０）、チャンバ部材７に破れ無し（すなわち、正常）と判定し（Ｓ４９５）、故障判定処理を終了する。
【０１１０】
一方、圧力値Ａ１と圧力値Ｂ１との比（Ａ１／Ｂ１）がしきい値Ｐｔｈ１より小さい場合（Ａ１／Ｂ１＜Ｐｔｈ１、Ｓ４４０：Ｎｏ）、タイマカウントＴの値が所定値（例えば、２０ｍｓ）が経過するまでの間（Ｓ４５０：Ｎｏ）、Ｓ４３０〜Ｓ４５０のステップを繰り返し行う。
【０１１１】
尚、所定値が経過するまでＳ４３０〜Ｓ４５０のステップを繰り返すのは、電磁弁１３が開状態となり通常モードから診断モードへ切り替えられた直後は充分にチャンバ空間７ａの圧力が変化していないおそれがあり（図８に示す時間ｔｓにおけるチャンバ空間７ａ内の圧力）、測定回数が増えることで誤検出を防ぐことができ、判定精度を高くすることができるためである。そして、所定値が２０ｍｓを超えた場合（Ｓ４５０：Ｙｅｓ）、電磁弁１３を閉じて通常モードへ切り替え（Ｓ４６０）、チャンバ部材７が異常と判定し（Ｓ４７０）、警告灯を点灯して（Ｓ４８０）、故障判定処理を終了する。この場合、歩行者の衝突の際に、歩行者保護装置を正常に作動させることができないため、チャンバ部材７の修理交換等が必要となる。
【０１１２】
尚、Ｓ４２０、Ｓ４６０、Ｓ４９０のステップが、本変形例の切替え手段として機能するものであり、Ｓ４３０〜Ｓ４５０、Ｓ４７０、Ｓ４９５のステップが、本変形例の故障判定手段として機能するものである。
【０１１３】
第二実施形態の変形例によれば、故障判定手段（歩行者保護装置ＥＣＵ１０）は、切替え手段（歩行者保護装置ＥＣＵ１０）により通常モードから診断モードへ切り替えられた時から所定時間が経過するまでの間に、チャンバ部材７が破損しているか否かの故障判定を繰り返すので、測定回数が増えるため誤検出を防ぐことができ、故障判定の精度を高くすることができる。
【０１１４】
本発明は上述した各実施形態に限定されるものではなく、本発明の趣旨を逸脱しない範囲で種々の変更を施すことが可能であることは云うまでもない。例えば、上述した各実施形態において、チャンバ部材７と別個に取り付けた専用の圧力発生源を用いて密着させるように構成することにより、パイプ１２を用いず、チャンバ空間７ａ内と圧力発生源とを導通させるようにしてもよい。また、診断モードから通常モード（電磁弁１３が開状態から閉状態）にするまでの所定時間を約２０ｍｓとしたが、チャンバ部材７やチャンバ空間７ａの容積、形状や圧力発生源１１の圧力に応じて変更させてもよい。所定時間を変更させることによって、充分にチャンバ空間７ａ内の圧力が変化した状態で、チャンバ空間７ａ内の圧力を圧力センサ８により検出することができる。
【符号の説明】
【０１１５】
１、１００：車両用衝突検知装置  ２：バンパ  ３：バンパカバー
４：バンパレインフォースメント  ４ａ：バンパレインフォースメント前面  ５：サイドメンバ  ６：アブソーバ
７：チャンバ部材  ７１：チャンバ本体  ７２：延設部  ７ａ：チャンバ空間  ８：圧力センサ  ８１：圧力導入管
１０：歩行者保護装置ＥＣＵ  １０ａ、１１ａ、１３ａ：信号線
１１：圧力発生源  １２：パイプ（導通管）  １３：電磁弁（開閉弁）
【図１】
0005251928.tif 000002
【図２】
0005251928.tif 000003
【図３】
0005251928.tif 000004
【図４】
0005251928.tif 000005
【図５】
0005251928.tif 000006
【図６】
0005251928.tif 000007
【図７】
0005251928.tif 000008
【図８】
0005251928.tif 000009
【図９】
0005251928.tif 000010